(57)【要約】【課題】前方に向けて伸びた下半身載置部に被施術者が着座し易い歯科用椅子を提供する。【解決手段】歯科用椅子１０の椅子部１５は、前方に向けて伸びた下半身載置部１６と、この下半身載置部１６の後方に配置された背もたれ部１９とを有し、下半身載置部１６は、背もたれ部１９に近い側であって、被施術者の臀部および大腿が載置される後方側載置部１７と、この後方側載置部１７から前方に伸びて被施術者の下腿が載置される前方側載置部１８とを有している。後方側載置部１７は、前方側載置部１８との境界部２３に近い側が括れ、両側部に窪み部２４が形成されている。窪み部２４は、後方側載置部１７の側方に配置されたひじ掛け部２１の前方に配置される。【選択図】図３
0003221141.tif 000002
【実用新案登録請求の範囲】
【請求項１】
前方に向けて伸びた下半身載置部と、この下半身載置部の後方に配置された背もたれ部とを有し、前記下半身載置部が、前記背もたれ部に近い側であって被施術者の臀部および大腿が載置される後方側載置部と、この後方側載置部から前側に伸びて被施術者の下腿が載置される前方側載置部とが一体で形成された歯科用椅子であって、
前記後方側載置部の側方に配置されたひじ掛け部と、
前記後方側載置部のうち、当該後方側載置部と前記前方側載置部との境界部に近い側の側部に形成された窪み部と、
を備え、
前記ひじ掛け部の前方に前記窪み部を設けた、
ことを特徴とする歯科用椅子。
【請求項２】
前記窪み部が、
前記後方側載置部を平面視したとき、側部の縁から内側に向けて窪んでいる、
ことを特徴とする請求項１に記載された歯科用椅子。
【請求項３】
前記境界部を頂点として、前記後方側載置部が後方に向かうにしたがって傾斜し、前記前方側載置部が前方に向かうにしたがって傾斜している、
ことを特徴とする請求項１または請求項２に記載された歯科用椅子。
【考案の詳細な説明】
【技術分野】
【０００１】
本考案は、歯科診療施設の歯科用椅子に関するものである。
【背景技術】
【０００２】
従来、歯科医院などの歯科診療施設に備えられた歯科用椅子は、種々のものがあり、例えば、下記特許文献１または特許文献２に記載されている。
【０００３】
特許文献１に記載された歯科用椅子は、座部、背もたれ、レッグレストおよびフットレストの各部材が連結されたものであって、各部の角度が変化することで、被施術者に座った姿勢を促す椅子状態、または、被施術者に横たわった状態を促すベッド状態に変形する。
【０００４】
特許文献２に記載された歯科用椅子は、座部とレッグレストとが一体で形成された下半身載置部を有し、被施術者が予め脚を伸ばした姿勢で着座するものである。詳説すれば、下半身載置部は、被施術者の膝裏に当たる部分が隆起しており、逆Ｖ字状である。被施術者は、歯科用椅子の側方に立って腰を下ろし、臀部を、下半身載置部における背もたれに近い側に載せた後、脚を、隆起した部分よりも高く上げて下半身載置部に載せる。被施術者は、脚を上げる際、臀部のみを軸として身体を支える場合や、背もたれに寄りかかることで臀部と背中とで身体を支える場合がある。
【先行技術文献】
【特許文献】
【０００５】
【特許文献１】特開２０１５−６６０８１号公報
【特許文献２】特開２００２−３２０６２７号公報
【考案の概要】
【考案が解決しようとする課題】
【０００６】
下半身載置部において、臀部を載せる位置は任意であるところ、臀部を載せる位置が背もたれから遠い場合、背もたれに背中を付け難くなる。すなわち、背もたれに寄りかかることを前提として着座する位置を決定し、脚を上げるために臀部と背中とを用いた適切な姿勢を実現することは困難である。被施術者によっては、座り直す場合や、不安定な姿勢でバランスを崩しながら脚を上げざるを得ない場合がある。
【０００７】
本考案は、上記の実情に鑑みて提案されたものである。すなわち、前方に向けて伸びた下半身載置部に被施術者が着座し易い歯科用椅子の提供を目的とする。
【課題を解決するための手段】
【０００８】
上記目的を達成するために、本考案に係る歯科用椅子は、前方に向けて伸びた下半身載置部と、この下半身載置部の後方に配置された背もたれ部とを有し、前記下半身載置部が、前記背もたれ部に近い側であって被施術者の臀部および大腿が載置される後方側載置部と、この後方側載置部から前側に伸びて被施術者の下腿が載置される前方側載置部とが一体で形成された歯科用椅子であって、前記後方側載置部の側方に配置されたひじ掛け部と、前記後方側載置部のうち、当該後方側載置部と前記前方側載置部との境界部に近い側の側部に形成された窪み部と、を備え、前記ひじ掛け部の前方に前記窪み部を設けた、ことを特徴とする。
【０００９】
本考案に係る歯科用椅子は、前記窪み部が、前記後方側載置部を平面視したとき、側部の縁から内側に向けて窪んでいる、ことを特徴とする。
【００１０】
本考案に係る歯科用椅子は、前記境界部を頂点として、前記後方側載置部が後方に向かうにしたがって傾斜し、前記前方側載置部が前方に向かうにしたがって傾斜している、ことを特徴とする。
【考案の効果】
【００１１】
本考案に係る歯科用椅子は、後方側載置部のうち、この後方側載置部と前方側載置部との境界部に近い側の側部に窪み部が形成されている。すなわち、後方側載置部は、窪み部よりも後方の面積が、窪み部の近傍の面積よりも広いため、被施術者は、着座する際、面積が広く座りやすい方を心理的に直観し、窪み部よりも後方に着座する。また、ひじ掛け部の前方に窪み部を設けたので、被施術者は、窪み部の位置に脚を合わせた状態で腰を下ろせば、ひじ掛け部が邪魔にならず、自然と窪み部よりも後方であって、背もたれ部に近い位置に着座する。この位置では、背中が背もたれ部に近接するため、被施術者は背もたれ部に寄りかかることで容易に脚を上げることができる。したがって、被施術者が着座し易い適切な姿勢を促すことができる。また、被施術者は、窪み部の位置に脚を合わせて腰を下ろした状態で、一呼吸置いた後に脚を上げることで、休憩をとりながら落ち着いて着座することができる。
【００１２】
本考案に係る歯科用椅子は、窪み部が、後方側載置部を平面視したとき、側部の縁から内側に向けて窪んでいる。したがって、後方側載置部において面積が広く座りやすい位置が、窪み部よりも後方であることを視認することができる。したがって、被施術者が着座し易い適切な姿勢を促すことができる。
【００１３】
本考案に係る歯科用椅子は、境界部を頂点として、後方側載置部が後方に向かうにしたがって傾斜し、前方側載置部が前方に向かうにしたがって傾斜している。この構成により、被施術者が着座する際、着座する位置が、後方側載置部の後方に促される。したがって、被施術者が着座し易い適切な姿勢を促すことができる。
【図面の簡単な説明】
【００１４】
【図１】図１は、本考案の第一実施形態に係る歯科用椅子を有する歯科診療装置の斜視図である。
【図２】図２は、本考案の第一実施形態に係る歯科用椅子の側面図である。
【図３】図３は、本考案の第一実施形態に係る歯科用椅子の平面図である。
【図４】図４は、本考案の第一実施形態に係る歯科用椅子の底面図である。
【図５】図５は、本考案の第一実施形態に係る歯科用椅子の背面図である。
【図６】図６は、本考案の第一実施形態に係る歯科用椅子の正面図である。
【図７】図７は、本考案の第二実施形態に係る歯科用椅子の平面図である。
【図８】図８は、本考案の第一実施形態に係る歯科用椅子の背もたれ部が倒れた状態の側面図である。
【考案を実施するための形態】
【００１５】
以下に、本考案の実施形態に係る歯科用椅子を図面に基づいて説明する。図１は、第一実施形態に係る歯科用椅子１０を有する歯科診療装置１の外観が示されている。図２から図６は、歯科用椅子１０の外観が示されている。図７は、平面から視した第二実施形態に係る歯科用椅子２１０が示されている。図８は、側面から視した歯科用椅子１０において背もたれ部が倒れた状態が示されている。以下では、図１に示されているとおり、歯科用椅子１０の正面が前方、背面が後方、歯科用椅子１０の幅方向である側方のうちの一方側が左方、他方側が右方、底面が下方、平面が上方である。
【００１６】
図１に示されているとおり、歯科診療装置１は、患者である被施術者が横たわる歯科用椅子１０と、被施術者が口内に含んだ水を吐き出すためのスピットン２と、被施術者の口元を照らすデンタルライト３と、種々のインスツルメント（図示省略。）が保持されるインスツルメント保持装置４と、このインスツルメント保持装置４と同様にインスツルメントを保持し、デンタルライト３やインスツルメントなどを制御するパネルが備えられたドクターテーブル５とを有している。スピットン２、デンタルライト３、インスツルメント保持装置４およびドクターテーブル５は、本体装置６に支持されている。この本体装置６は、歯科用椅子１０の隣に設置されている。
【００１７】
スピットン２はボウルであり、本体装置６の上に設置されている。デンタルライト３は、本体装置６に取り付けられた第一可動アーム７の先端に接続されている。インスツルメント保持装置４は、本体装置６に取り付けられた第二可動アーム８の先端に接続されている。ドクターテーブル５は、本体装置６に取り付けられた第三可動アーム９の先端に接続されている。各可動アーム７，８，９は、複数の関節を有している。そのため、デンタルライト３、インスツルメント保持装置４およびドクターテーブル５は、各可動アーム７，８，９を介して、自在に移動することができる。なお、インスツルメントは、例えば、タービン、マイクロモーター、エアモーター、スケーラー、シリンジなどである。
【００１８】
図２から図６に示されているとおり、歯科用椅子１０は、設置面に設置される基台部１１と、この基台部１１に連結された脚部１４と、この脚部１４に連結された椅子部１５と、この椅子部１５を昇降させる昇降機構（図示省略）と、歯科用椅子１０の状態を変化させる際に操作される歯科用フットスイッチ２７とを有している。
【００１９】
椅子部１５は、前方に向けて伸びた下半身載置部１６と、この下半身載置部１６の後方に配置された背もたれ部１９と、この背もたれ部１９の上端に連結されたヘッドレスト２０と、下半身載置部１６の側方に配置されたひじ掛け部２１とを有している。背もたれ部１９は、下半身載置部１６に対して倒れ、または、起きる。ヘッドレスト２０は、背もたれ部１９に対して倒れ、起き、昇降する。
【００２０】
下半身載置部１６は、背もたれ部１９に近い側であって、被施術者の臀部および大腿が載置される後方側載置部１７と、この後方側載置部１７から前方に伸び、被施術者の下腿が載置される前方側載置部１８とが一体で形成されている。前方側載置部１８の全長は、後方側載置部１７よりも長い。なお、後方側載置部１７と前方側載置部１８は、被施術者の体格によって、載置される身体の部位が異なる場合がある。したがって、後方側載置部１７に被施術者の下腿が載置される場合があり、前方側載置部１８に被施術者の大腿が載置される場合もある。
【００２１】
左右側方から視して、後方側載置部１７と前方側載置部１８との境界部２３は隆起し、下半身載置部１６において最も高い位置に配置されている。すなわち、境界部２３を頂点として、後方側載置部１７は、後方に向かうにしたがって下方に傾斜し、前方側載置部１８は、前方に向かうにしたがって下方に傾斜している。後方側載置部１７は、境界部２３に近い側が括れ、両側部に窪み部２４が形成されている。
【００２２】
窪み部２４は、後方側載置部１７の両側部が、緩やかに陥没したものであり、上方から視して、両側部の縁から内側に向けて窪んでいる。窪みの度合いは任意であり、図７に示された第二実施形態に係る歯科用椅子２１０のように、歯科用椅子１０と比較して窪みの度合いが大きくてもよい。また、歯科用椅子１０と比較してくぼみの度合いが小さくてもよい。
【００２３】
図８に示されているとおり、背もたれ部１９が倒れる際、下半身載置部１６は、僅かに起きる。すなわち、下半身載置部１６は、後方側載置部１７側を軸として、前方側載置部１８側が上向きに傾く。この状態であっても、境界部２３は、下半身載置部１６において最も高い位置に配置されている。
【００２４】
上記のとおり、歯科用椅子１０が構成されている。次に、歯科用椅子１０の効果を説明する。
【００２５】
歯科用椅子１０の後方側載置部１７は、境界部２３に近い側が括れ、両側部に窪み部２４が形成されている。窪み部２４は、後方側載置部１７の両側部が、緩やかに陥没したものであり、平面から視して、両側部の縁から内側に向けて窪んでいる。すなわち、後方側載置部１７は、窪み部２４よりも後方の面積が、窪み部２４の近傍の面積よりも広いため、被施術者は、着座する際、面積が広く座りやすい方を視認し、心理的に直観して窪み部２４よりも後方に着座する。また、被施術者は、窪み部２４の位置に脚を合わせた状態で腰を下ろせば、自然と窪み部２４よりも後方であって、背もたれ部１９に近い位置に臀部を載置する。この位置では、背中が背もたれ部１９に近接するため、被施術者は背もたれ部１９に寄りかかることで容易に脚を上げることができ、大腿を後方側載置部１７に載せ、下腿を前方側載置部１８に載せる。したがって、被施術者が着座し易い適切な姿勢を促すことができる。また、被施術者は、窪み部２４の位置に脚を合わせて腰を下ろした状態で、一呼吸置いた後に脚を上げることで、休憩をとりながら落ち着いて着座することができる。
【００２６】
歯科用椅子１０は、側面から視して、境界部２３を頂点として、後方側載置部１７が、後方に向かうにしたがって下方に傾斜している。この構成により、被施術者が着座する際、着座する位置が、後方側載置部１７の後方に促される。したがって、被施術者が着座し易い適切な姿勢を促すことができる。
【００２７】
歯科用椅子２１０は、上記した歯科用椅子１０と同じ効果を生じさせることができる。
【００２８】
なお、他の実施形態として、窪み部は、後方側載置部の片側にのみ形成されていてもよい。この場合、窪み部は、歯科用椅子に対して、本体装置の反対側に形成される。すなわち、歯科用椅子に着座しようとする被施術者の正面側に、窪み部が形成される。
【００２９】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３０】
１            歯科診療装置
２            スピットン
３            デンタルライト
４            インスツルメント保持装置
５            ドクターテーブル
６            本体装置
７            第一可動アーム
８            第二可動アーム
９            第三可動アーム
１０，２１０  歯科用椅子
１１          基台部
１４          脚部
１５          椅子部
１６          下半身載置部
１７          後方側載置部
１８          前方側載置部
１９          背もたれ部
２０          ヘッドレスト
２１          ひじ掛け部
２３          境界部
２４，２２４  窪み部
２７          歯科用椅子フットスイッチ
【図１】
0003221141.tif 000003
【図２】
0003221141.tif 000004
【図３】
0003221141.tif 000005
【図４】
0003221141.tif 000006
【図５】
0003221141.tif 000007
【図６】
0003221141.tif 000008
【図７】
0003221141.tif 000009
【図８】
0003221141.tif 000010